(57)【要約】      （修正有）【課題】窮屈な状態での作業を強いずに簡易迅速に着衣可能な着衣容易性を具備しつつ、それでいて様々な人が着用できるなど高い汎用性も備えた衣類用締め帯を提供する。【解決手段】衣類用締め帯１００は、腰部を複数周回して巻くことが可能な主帯部１１と、主帯部１１のうち一方の端部に形成された環状連結部１２と、を含む繊維帯１０と、繊維帯１０とは硬度又は材質が異なるとともに、環状フレームと当該環状フレームの中央に配置された棒状分離子とを含むバックル２０と、を具備し、腰部を挿入可能な基礎環部ＢＣが一方の端部１１ａ側に形成されるように、環状連結部１２が棒状分離子に取り付けられた。【選択図】図１
0003220984.tif 000002
【実用新案登録請求の範囲】
【請求項１】
腰部を複数周回して巻くことが可能な主帯部と、前記主帯部のうち一方の端部に形成された環状連結部と、を含む繊維帯と、
前記繊維帯とは硬度又は材質が異なるとともに、環状フレームと当該環状フレームの中央に配置された棒状分離子とを含むバックルと、を具備し、
前記腰部を挿入可能な基礎環部が前記一方の端部側に形成されるように、前記環状連結部が前記棒状分離子に取り付けられたことを特徴とする衣類用締め帯。
【請求項２】
前記主帯部の幅は前記環状フレームの幅よりも大きく、当該主帯部を幅方向に縮めて前記腰部に巻き付けられることを特徴とする請求項１に記載の衣類用締め帯。
【請求項３】
前記主帯部の端部を折り返して固定することで前記環状連結部が形成されていることを特徴とする請求項１又は２に記載の衣類用締め帯。
【請求項４】
前記環状フレームは、前記棒状分離子を境に第１空隙部と第２空隙部を備え、
前記主帯部のうち他方の端部が前記第１空隙部を通過することで前記基礎環部が形成され、前記他方の端部がさらに前記第２空隙部を通過されていることを特徴とする請求項１〜３のいずれか一項に記載の衣類用締め帯。
【考案の詳細な説明】
【技術分野】
【０００１】
本考案は、衣類用の締め帯に関し、より具体的には祭り用法被（ハッピ）などの締め帯として簡易に着脱が可能な衣類用締め帯に関する。
【背景技術】
【０００２】
日本では古来より冠婚葬祭など様々な場面で着物や祭り用法被が用いられている。これら着物や祭り用法被などの衣類を着用する際には、腰付近で帯を締めることが多く行われている。かような締め帯は、一般的には細長く腰回りに何回も巻いて締めることが多く、始端を押さえつつ腰回りに複数回巻くことも容易ではない。
【０００３】
これに対して従来では、長尺の布からなる帯だけでなく、例えば細長い帯本体に対して簡易的な部品を追加した改良品もいくつか提案されている。これにより、極めて簡単に締めることができて緩むことがなく、しかも使用時には結び目を作って締めたものと全く同様な外観を呈することも可能となる。
【０００４】
より具体的に例えば特許文献１では、長尺状をなす帯本体と、この帯本体とは別体に形成されて帯本体の長手方向に沿って移動自在に嵌装された結び目とからなり、前記帯本体の一端側の裏面に離着自在の着接部を設けると共に、前記帯本体の他端に前記一端側が挿通可能な環状部を設け、前記帯本体の一端側を前記環状部に挿通してその裏面どうしが密着するように折り返して前記着接部により固定すると共に、前記結び目を前記環状部の方向へ移動させてその結び目により環状部を覆い隠すように構成した帯が開示されている。
【０００５】
なお、かような改良型の帯は特許文献１に開示された祭り用の法被に限られず、着物用の帯としても用いられている。
例えば特許文献２では、帯本体と着脱可能な結び部からなる帯であって、帯本体の少なくとも一部に伸縮性部を有し、かつ、後身ごろ側に対応する帯本体位置に、帯本体を止脱自在可能に着脱部材が設けられてなる着物用の帯も提案されている。
【先行技術文献】
【特許文献】
【０００６】
【特許文献１】特開平８−２４６２１４号公報
【特許文献２】特開平１１−３０２９１２号公報
【考案の概要】
【考案が解決しようとする課題】
【０００７】
しかしながら、上述した特許文献に限らず現在の技術では市場のニーズを適切に満たしているとは言えず、以下に述べるごとき課題が存在する。
【０００８】
まず上記した特許文献１および特許文献２のいずれも、公知のベルトなどと同様に初期状態では帯が真っ直ぐの状態であって着衣するのに手間がかかる。例えば特許文献１では、使用開始時にはまず環状部１３に引張輪１２を通すことから始めねばならず、腰回りが窮屈な状態での作業となることは否めない。また特許文献２では、一方の着脱部材３を手などで押さえながら他方を腰回しで巻きつけるため、やはり腰回りが窮屈な状態での作業となってしまう。
【０００９】
さらに特許文献１に開示された帯の構成では、環状部１３に対して引張輪１２が帯本体１の内側に入るため、そもそも着衣容易性に関して改善の余地が大きいと言わざるを得ない。一方で特許文献２でも、両端の着脱部材３同士を結びつける構成であるため、上記課題に加えて使用する人の腰回りの大きさ次第では汎用性に難点が生じてしまう。
【００１０】
このように既存の技術では、着衣に際して窮屈な状態・体勢での作業を強いてしまうか、利便性はある程度高いが汎用性に欠けてしまうという課題が未だ存在しているといった状況にあると言える。
本考案は、上記した課題を一例に鑑みて為されたものであり、窮屈な状態での作業を強いずに簡易迅速に着衣可能な着衣容易性を具備しつつ、それでいて様々な人が着用できるなど高い汎用性も備えた衣類用締め帯を提供することを目的とする。
【課題を解決するための手段】
【００１１】
上記課題を解決するため、本考案の一実施形態にかかる衣類用締め帯は、（１）腰部を複数周回して巻くことが可能な主帯部と、前記主帯部のうち一方の端部に形成された環状連結部と、を含む繊維帯と、前記繊維帯とは硬度又は材質が異なるとともに、環状フレームと当該環状フレームの中央に配置された棒状分離子とを含むバックルと、を具備し、前記腰部を挿入可能な基礎環部が前記一方の端部側に形成されるように、前記環状連結部が前記棒状分離子に取り付けられたことを特徴とする。
【００１２】
なお、上記した（１）に記載の衣類用締め帯においては、（２）前記主帯部の幅は前記環状フレームの幅よりも大きく、当該主帯部を幅方向に縮めて前記腰部に巻き付けられることが好ましい。
【００１３】
また、上記した（１）又は（２）に記載の衣類用締め帯においては、（３）前記主帯部の端部を折り返して固定することで前記環状連結部が形成されていることが好ましい。
【００１４】
また、上記した（１）〜（３）のいずれかに記載の衣類用締め帯においては、（４）前記環状フレームは、前記棒状分離子を境に第１空隙部と第２空隙部を備え、前記主帯部のうち他方の端部が前記第１空隙部を通過することで前記基礎環部が形成され、前記他方の端部がさらに前記第２空隙部を通過されていることが好ましい。
【考案の効果】
【００１５】
本考案によれば、着衣に際しては基礎環部内に腰を挿入することで簡易に着衣でき、さらにバックルを介して主帯部を引っ張るなどすれば迅速な腰回りへの着衣が可能となる。これに加え、上記した主帯部の引っ張り度合いなどを調整することで様々な人に対して着用が可能となるという高い汎用性も同時に備えることが可能となっている。
【図面の簡単な説明】
【００１６】
【図１】実施形態における衣類用締め帯１００の外観図である。
【図２】衣類用締め帯１００のうち基礎環部ＢＣ付近の拡大図である。
【図３】衣類用締め帯１００のうち繊維帯１０とバックル２０との接続構造を示す模式図である。
【図４】衣類用締め帯１００を仮に繊維帯１０とバックル２０とに分離した場合における構造をそれぞれ示す模式図である。
【図５】衣類用締め帯１００を組み立てる際の第１工程を示す模式図である。
【図６】衣類用締め帯１００を組み立てる際の第２工程を示す模式図である。
【図７】衣類用締め帯１００を組み立てる際の第３工程を示す模式図である。
【考案を実施するための形態】
【００１７】
続いて図面を適宜参照しつつ本考案を実施するための実施形態について説明する。
＜衣類用締め帯１００＞
本実施形態における衣類用締め帯１００は、祭りや催事などの冠婚葬祭に用いられる法被などの衣服や着物（以下、本明細書ではこれらを総称して「衣類」と定義する）に対して用いられ、図１〜図４に示されるとおり繊維帯１０及びバックル２０を含んで構成されている。
【００１８】
繊維帯１０は、例えば図１から明らかなとおり、人体における腰部を複数周回して巻くことが可能な主帯部１１と、この主帯部１１のうち一方の端部１１ａに形成された環状連結部１２と、を含んで構成されている。なお本実施形態に好適な繊維帯１０の材質としては、公知の種々の繊維が適用でき、例えば絹や綿などの天然繊維、あるいはポリエステルなど公知の合成繊維が挙げられる。
【００１９】
主帯部１１は、上述のとおり、人の腰回りに対して複数回だけ巻きつけられる程度の長さを有している。後述するとおり本実施形態では、人の腰回りに衣類用締め帯１００を装着した際に、主帯部１１の一部によってバックル２０が覆い隠されることで着衣が完了となっている。かような観点から、少なくとも上記バックル２０を覆い隠すのに充分な程度の長さを主帯部１１が有していることが望ましい。
【００２０】
また、特に図４（ｃ）に示すとおり、本実施形態における主帯部１１の幅Ｗ１（上記した長さ方向とは直交する方向における大きさ）は、バックル２０の環状フレーム２１（後述）の幅Ｗ２よりも大きいことが好ましい。より具体的に実使用時の図４（ａ）においては、主帯部１１は幅方向に縮められてシワが発生する程度の幅Ｗ１´となっており、この状態では環状フレーム２１（後述）の幅Ｗ２以下となっている。
【００２１】
しかしながら図４（ｃ）のとおり、もともとの主帯部１１の幅Ｗ１（換言すれば幅方向に縮めておらず延ばした状態の幅）は、環状フレーム２１（後述）の幅Ｗ２よりも大きいものが使用されることが好ましい。これにより実際の使用時には幅方向に弾力を持たせて主帯部１１を使用できることから、本実施形態ではこの主帯部１１を幅方向に縮めて幅Ｗ１´とした状態で腰部に巻き付けられる。
【００２２】
環状連結部１２は、図３などに示すとおり、上記した主帯部１１のうち一方の端部１１ａに形成されている。より具体的に本実施形態では、この主帯部１１の端部１１ａを折り返して固定部ＦＰで固定することで環状連結部１２が形成されている。なお固定部ＦＰの固定手法としては特に制限はなく、例えばミシン止めや接着など公知の種々の固定方法を採用してもよい。
【００２３】
また、後述するとおり本実施形態においては、上記した環状連結部１２はバックル２０の棒状分離子２２と連結される。より具体的には図３に示すとおり、棒状分離子２２が環状連結部１２の内側に挿入される形で環状連結部１２と棒状分離子２２とが連結される。これにより後述する第１空隙部２０Ａと第２空隙部２０Ｂとを有効に活用して基礎環部ＢＣが形成された構造を採用することが可能となっている。
【００２４】
バックル２０は、前記した繊維帯１０とは硬度又は材質が異なるように構成されている。より具体的に本実施形態のバックル２０は、図３および図４に示すとおり、環状フレーム２１と、この環状フレーム２１の中央に配置された棒状分離子２２と、を含んで構成されている。
【００２５】
このようにバックル２０は、少なくとも材質か硬度かで繊維帯１０とは異なるように構成されていればよい。例えば本実施形態では、繊維帯１０がポリエステル繊維の場合、バックル２０はポリエステル樹脂（同じポリエステルだが硬度が異なるケース）でもよいし、バックル２０が金属や他の樹脂材料（そもそも材質が異なるケース）で構成されていてもよい。
【００２６】
環状フレーム２１は、図３などに示すとおり中央が開口した所定厚みの円板のごとき部材である。なお、図４は図３の状態からバックル２０と繊維帯１０とを仮に分離した場合のそれぞれの構造を示した図である。
【００２７】
図４からも明らかなとおり、環状フレーム２１は、棒状分離子２２が延伸する方向における幅Ｗ２を備えている。そして上述のとおり本実施形態の環状フレーム２１は円板形状であることから、実質的に当該円板の外径が上記Ｗ２となっている。
【００２８】
なお本実施形態において環状フレーム２１は円板形状としたが、環状であれば特に円板が必須ではなく外形が四角形状であるなど公知の矩形状であってもよい。このとき環状フレーム２１が非円形状の矩形状（例えば四角形）である場合、本明細書における「環状フレームの幅」とは、環状フレーム２１のうち棒状分離子２２が延伸する方向における幅を言うこととする。
【００２９】
棒状分離子２２は、図３や図４などから明らかなとおり、環状フレーム２１の中心を通って該環状フレーム２１の内側を二分するように延伸している。これにより、図３や図４に示すように、本実施形態の環状フレーム２１は、棒状分離子２２を境に第１空隙部２０Ａと第２空隙部２０Ｂを備えることが可能となっている。
【００３０】
なお棒状分離子２２は環状フレーム２１と一体となった構造が好ましいが、例えば中空の環状フレーム２１に対して接着剤や融着などによって棒状分離子２２を後付けする形態であってもよい。また本実施形態においては、棒状分離子２２の厚み（バックルの周面の法線方向における大きさ）はフレーム２１の厚みと同じ例を用いて説明しているが、これに限定されるものではなく、棒状分離子２２の厚みがフレーム２１の厚みよりも厚くてもよいし、逆に薄くてもよい。
【００３１】
また本実施形態では、棒状分離子２２の幅Ｗ３は、環状フレーム２１のフレーム幅Ｗ４よりも小さくなるように設定されているが、この形態に限れられない。例えば上記したＷ３とＷ４の値を同程度とし、又はＷ３がＷ４よりも大きくなるような構成としてもよい。
【００３２】
そして図２に示すとおり、本実施形態の衣類用締め帯１００においては、前記した人の腰部を挿入可能な程度の大きさを有する基礎環部ＢＣが主帯部１１のうち一方の端部１１ａ側に形成されるように、主帯部１１の環状連結部１２がバックル２０の棒状分離子２２に取り付けられたことを特徴としている。
【００３３】
これより、本実施形態の衣類用締め帯１００を使用する使用者は、まず衣類における左右のエリを重ね合わせた後で、基礎環部ＢＣ内に自身の腰を入れるだけで後は複雑な操作を必要とせずに帯締めを素早く実行することが可能となっている。具体的には、基礎環部ＢＣを頭からかぶるか、基礎環部ＢＣに足を入れて腰まで引き上げることにより、基礎環部ＢＣ内に自身の腰を入れることができる。
【００３４】
＜衣類用締め帯１００の組み立て＞
次に図５〜図７を適宜参照しつつ、本実施形態における衣類用締め帯１００の組み立てについて説明する。
【００３５】
上述したとおり、使用者は衣類のエリを重ね合わせた上で、締め帯によって巻き締めるときは図１のような基礎環部ＢＣを有する初期状態の衣類用締め帯１００を使用する。そこで以下では、この初期状態の衣類用締め帯１００を組み立てる順序を説明する。
【００３６】
まず図５に示すとおり、繊維帯１０とバックル２０とを連結させる。より具体的には、主帯部１１のうち一方の端部１１ａを第２空隙部２０Ｂに通した後に折り返し、さらにこの端部１１ａを第１空隙部２０Ａに通過させた後で固定部ＦＰを介して主帯部１１に対して固定する。なお本例では固定部ＦＰとしてはミシン止めを行っている。
【００３７】
これにより、図５のとおり、主帯部１１のうち一方の端部１１ａ付近において環状連結部１２が形成されるとともに、この環状連結部１２と棒状分離子２２を介して繊維帯１０とバックル２０とが連結されることになる。
【００３８】
次いで図６に示すとおり、主帯部１１のうち他方の端部１１ｂを第１空隙部２０Ａに通すことによって、基礎環部ＢＣを形成する。このとき基礎環部ＢＣの大きさは特に制限はないが、ある程度の余裕をもって一般的な人の腰部が挿入可能な程度に調整されていることが好ましい。
【００３９】
その後、図７に示すとおり、第１空隙部２０Ａを通過した主帯部１１における他方の端部１１ｂを第２空隙部２０Ｂに通す。換言すれば、前記した主帯部１１のうち他方の端部１１ｂが第１空隙部２０Ａを通過することで基礎環部ＢＣが形成され、この他方の端部１１ｂがさらに第２空隙部２０Ｂを通過することで初期状態の衣類用締め帯１００が組み立てられる。
【００４０】
このとき前工程によって形成された基礎環部ＢＣの大きさを維持できるように第１空隙部２０Ａ付近の主帯部１１を押さえながら、他方の端部１１ｂ側の主帯部１１を第２空隙部２０Ｂ内へ通過させることが好ましい。
【００４１】
以上の工程を経ると、図１に示す初期状態の衣類用締め帯１００が組み立てられる。
このように本実施形態の衣類用締め帯１００は、着衣に際しては基礎環部ＢＣ内に腰を挿入することで簡易に着衣でき、さらにバックル２０を介して主帯部１１を引っ張るなどすれば迅速な腰回りへの着衣が可能となる。
【００４２】
さらに本実施形態の衣類用締め帯１００は、上記した主帯部１１の引っ張り度合いなどを適宜調整することで、腰回りの大きさに依存せず様々な人に対して着用が可能となるという高い汎用性も同時に備えている。
【００４３】
なお上記した実施形態は、本考案の趣旨を逸脱しない範囲で種々の変形が可能である。すなわち上記した実施形態は一例であって、本実施形態で示した構造に対して上記した特許文献に開示された公知の要素を適宜組み合わせることもできる。
また、主帯部の長さやバックルの大きさなどは、子供用・大人用等の用途に応じて適宜変更することができる。
【産業上の利用可能性】
【００４４】
以上説明したように、本考案は、高い着衣容易性と汎用性を同時に備えた衣類用締め帯を実現するのに適している。
【符号の説明】
【００４５】
１００  衣類用締め帯
１０  繊維帯
１１  主帯部
１２  環状連結部
２０  バックル
２１  環状フレーム
２２  棒状分離子
ＢＣ  基礎環部
ＦＰ  固定部
【図１】
0003220984.tif 000003
【図２】
0003220984.tif 000004
【図３】
0003220984.tif 000005
【図４】
0003220984.tif 000006
【図５】
0003220984.tif 000007
【図６】
0003220984.tif 000008
【図７】
0003220984.tif 000009